(57)【要約】【課題】カラー画像データに基づいて図形を出力する場合に、出力先に拘らず図形の色の塗り分けを識別可能とする画像処理装置を提供する。【解決手段】カラー画像データから輪郭内が単一の色で塗りつぶされた色塗り領域を判断する画像領域判断部１６３と、画像領域判断部１６３により判断された色塗り領域の色を判断する画像色判断部１６４と、画像領域判断部１６３により判断された色塗り領域を、画像色判断部１６４により判断された色毎に異なる模様の模様領域に変更する変更処理部１６６とを備える。【選択図】図２
2015046850.tif 000002
【特許請求の範囲】
【請求項１】
カラー画像データから輪郭内が単一の色で塗りつぶされた色塗り領域を判断する画像領域判断部と、
前記画像領域判断部により判断された色塗り領域の色を判断する画像色判断部と、
前記画像領域判断部により判断された色塗り領域を、前記画像色判断部により判断された色毎に異なる模様の模様領域に変更する変更処理部と、
を備えることを特徴とする画像処理装置。
【請求項２】
請求項１記載の画像処理装置であって、
前記変更処理部は、異なる色の色塗り領域が隣接する場合に前記隣接する色塗り領域を前記模様領域に変更する、
ことを特徴とする画像処理装置。
【請求項３】
請求項２記載の画像処理装置であって、
前記色塗り領域の色の明度及び彩度に基づき隣接する色塗り領域の境界を判断する境界判断部を有し、
前記変更処理部は、前記境界判断部により境界が判断された隣接する色塗り領域の明度及び彩度の差が閾値を下回る時に前記隣接する色塗り領域をそれぞれ前記模様領域に変更する、
ことを特徴とする画像処理装置。
【請求項４】
請求項１〜３の何れか一項に記載の画像処理装置であって、
前記カラー画像データに含まれるオブジェクトの種別を判断する種別判断部を有し、
前記画像領域判断部は、前記種別判断部により判断された種別が図形であるオブジェクトである場合に、前記図形であるオブジェクトに対する前記色塗り領域を判断する、
ことを特徴とする画像処理装置。
【請求項５】
請求項１〜４の何れか一項に記載の画像処理装置であって、
前記カラー画像データに基づく単色印刷指示を受け付ける印刷指示受付部を有し、
前記画像領域判断部は、前記単色印刷指示に基づき前記色塗り領域を判断し、
前記変更処理部は、前記色塗り領域を前記色毎に異なる模様の模様領域に置換した単色画像データを生成する、
ことを特徴とする画像処理装置。
【請求項６】
請求項１〜４の何れか一項に記載の画像処理装置であって、
前記カラー画像データに基づく色塗り領域模様付加表示指示を受け付ける表示指示受付部を有し、
前記画像領域判断部は、前記色塗り領域模様付加表示指示に基づき前記色塗り領域を判断し、
前記変更処理部は、前記色塗り領域の背景に前記色毎に異なる模様の模様領域を付加したカラー画像データを生成する、
ことを特徴とする画像処理装置。
【請求項７】
請求項１〜６の何れか一項に記載の画像処理装置であって、
前記変更処理部による前記色塗り領域の前記模様領域への変更を行うか否かを設定する変更処理設定部を有する、
ことを特徴とする画像処理装置。
【請求項８】
カラー画像データから輪郭内が単一の色で塗りつぶされた色塗り領域を判断する画像領域判断機能と、
前記画像領域判断機能により判断された色塗り領域の色を判断する画像色判断機能と、
前記画像領域判断機能により判断された色塗り領域を、前記画像色判断機能により判断された色毎に異なる模様の模様領域に変更する変更処理機能と、
をコンピューターに実現させることを特徴とする画像処理プログラム。
【発明の詳細な説明】
【技術分野】
【０００１】
本発明は、カラー画像データに対する画像処理装置及びプログラムに関する。
【背景技術】
【０００２】
カラー画像データの出力処理においては、色の違い（塗り分け）による識別を前提とした表・グラフ等のオブジェクトが、出力先によって色の違いを識別することが困難になる場合がある。
【０００３】
例えば、パーソナルコンピューターのモニター等で表示していたカラー画像を単色で印刷する場合やプロジェクター装置によってスクリーン上に投影させる場合等である。
【０００４】
カラー画像を単色印刷、例えばモノクロ印刷する場合は、画像形成装置の表現力や性能によって色の違いが識別不能になり、カラー画像をプロジェクター装置に送ってスクリーンに投影させる場合は、スクリーン上での色味がモニター上での色味と異なって色の違いが識別不能になる。何れの場合も、情報が誤伝達されてしまう問題がある。
【０００５】
このような情報の誤伝達を防止する技術として、特許文献１には、カラー画像データからモノクロ印刷する際、データ内の文字にカラー情報に応じたスタイル情報を付加して画像データを変換するものが開示されている。この技術では、文字の色を網掛けや下線あるいは囲み線を付加したスタイルにより認識することができ、情報の誤伝達を防止できる。
【０００６】
しかしながら、特許文献１の技術は、スタイル情報を有さない表・グラフ等の図形には適用できなかった。
【０００７】
一方、特許文献２及び３には、複数の色塗り領域を有するカラー画像の円グラフを対象とし、色塗り領域間に濃度差をつける技術が開示されている。また、特許文献４には、カラー画像上で異なる色の色塗り領域が接している色境界部を検出し、例えばモノクロ画像上では色境界部を際立たせる技術が開示されている。
【０００８】
しかしながら、特許文献２〜４の何れの技術も、カラー画像の出力先の性能を考慮しておらず、出力先によって変動するカラー画像の色塗り領域の境界の見えずらさを解消するには依然として不十分であった。
【先行技術文献】
【特許文献】
【０００９】
【特許文献１】特開２００６−１８６９１４公報
【特許文献２】特開２００８−５０６４公報
【特許文献３】特開２００８−５０６５公報
【特許文献４】特開２００１−２６８３７８公報
【発明の概要】
【発明が解決しようとする課題】
【００１０】
本発明が解決しようとする問題点は、カラー画像データに基づいて図形の画像出力を行う場合に、出力先によっては図形の色の塗り分けを識別できないことがある点である。
【課題を解決するための手段】
【００１１】
本発明は、カラー画像データから輪郭内が単一の色で塗りつぶされた色塗り領域を判断する画像領域判断部と、前記画像領域判断部により判断された色塗り領域の色を判断する画像色判断部と、前記画像領域判断部により判断された色塗り領域を、前記画像色判断部により判断された色毎に異なる模様の模様領域に変更する変更処理部とを備えることを画像処理装置の最も主な特徴とする。
【発明の効果】
【００１２】
本発明によれば、カラー画像データの色塗り領域を色毎に異なる模様の模様領域に変更することで、出力先に拘らず模様の違いによって図形の色の塗り分けを確実に識別できる。
【図面の簡単な説明】
【００１３】
【図１】画像形成装置を有するシステムの構成を示すブロック図である（実施例１）。
【図２】図１の画像形成装置の構成を示すブロック図である（実施例１）。
【図３】画像形成装置での単色印刷指示に基づく画像処理を示すフローチャートである（実施例１）。
【図４】図３の画像処理が適用される色塗り領域を有するグラフを示す図表である（実施例１）。
【図５】色塗り領域を模様領域に変更したグラフを示す図表である（実施例１）。
【図６】図４のグラフを通常の単色印刷した結果を示す図表である（実施例１）。
【図７】情報処理端末を有するシステムの構成を示すブロック図である（実施例２）。
【図８】図７の情報処理端末の構成を示すブロック図である（実施例２）。
【図９】情報処理端末での外部表示対象カラー画像に対する画像処理を示すフローチャートである（実施例２）。
【図１０】図９の画像処理が適用される色塗り領域を有するグラフを示す図表である（実施例２）。
【図１１】図１０の色塗り領域に模様領域を付加したグラフを示す図表である（実施例２）。
【図１２】図１０のグラフを通常通りに表示した場合の表示例を示す図表である（実施例２）。
【図１３】図１０のグラフを通常通りに表示した場合の別の表示例を示す図表である（実施例２）。
【発明を実施するための形態】
【００１４】
カラー画像データに基づいて図形を出力する場合に、出力先に拘らず図形の色の塗り分けを識別可能とするという目的を、カラー画像データから輪郭内が単一の色で塗りつぶされた色塗り領域を、色毎に異なる模様の模様領域に変更する画像処理装置により実現した。
【００１５】
出力先としては、例えば図形を単色画像として印刷出力する画像形成装置やカラー画像としてスクリーン上に投影出力するプロジェクター装置等がある。
【００１６】
画像処理装置は、例えば出力先となる画像形成装置やプロジェクター装置内に設けたり、或いはカラー画像データを出力先に送る情報処理装置等に適用できる。
【００１７】
以下、本発明の実施例について図面を参照して説明する。
【実施例１】
【００１８】
［画像形成装置］
本実施例は、画像処理装置を画像形成装置として適用したものである。図１は、本発明の実施例１に係る画像形成装置を有するシステム構成を示すブロック図、図２は、図１の画像形成装置の構成を示すブロック図である。
【００１９】
本実施例では、図１のように、画像処理装置である画像形成装置１０が複数の情報処理装置２０（図１では、便宜的に情報処理装置２０−１及び２０−２のみを示している）に対してインターネット等のネットワーク５により接続されている。
【００２０】
画像形成装置１０は、例えばデジタル複合機等であり、カラー画像データに基づいて単色で印刷する単色印刷機能を有している。単色印刷としては、単一の色による濃淡による階調を表現する印刷であり、モノクロ印刷や単一色のカラー印刷がある。
【００２１】
画像形成装置１０は、図２に示すように、操作表示パネル１１、スキャナー１２、ネットワークインターフェイス１３、画像形成部１４、記憶部１５、制御部１６等を備えている。
【００２２】
操作表示パネル１１は、タッチパネル式の液晶表示画面等を備え、画像形成装置１０に対する各種入力操作及びその入力結果の表示等を行わせるものである。
【００２３】
スキャナー１２は、用紙上に形成されている原稿画像を読み取って画像データを生成する。
【００２４】
ネットワークインターフェイス１３は、情報処理端末３０を含む外部装置に対してネットワークを通じたデータの送受信を行う。
【００２５】
画像形成部１４は、印刷ジョブに基づいて用紙上に画像を形成する。印刷ジョブは、操作表示パネル１１上の操作を通じて受け付けられ、或いはネットワークインターフェイス１３を介して情報処理装置２０から受信する。本実施例の印刷ジョブは、カラー画像データに基づく単色印刷を指示するものとなっている。
【００２６】
印刷ジョブのカラー画像データは、スキャナー１２で読み込んだもの、情報処理装置２０で作成されたもの、或いは後述する記憶部１５に記憶したもの等がある。なお、記憶部１５に記憶したカラー画像データは、例えば文書ボックスと称される記憶領域内に記憶されたカラーボックス文書等である。
【００２７】
制御部１６は、ＣＰＵ（Ｃｅｎｔｒａｌ  ｐｒｏｃｅｓｓｉｎｇ  Ｕｎｉｔ）等の演算装置であり、プログラムを実行することで各種の処理や制御を行う。
【００２８】
記憶部１５は、プログラムを記憶するＲＯＭ（Ｒｅａｄ  Ｏｎｌｙ  Ｍｅｍｏｒｙ）、作業領域としてのＲＡＭ（Ｒａｎｄｏｍ  Ａｃｃｅｓｓ  Ｍｅｍｏｒｙ）、補助記憶装置としてのＨＤＤ（Ｈａｒｄ  Ｄｉｓｋ  Ｄｒｉｖｅ）等である。
【００２９】
本実施例の画像形成装置１０は、制御部１６が記憶部１５内のプログラムを実行することにより、印刷ジョブ受付部１６１、種別判断部１６２、画像領域判断部１６３、画像色判断部１６４、境界判断部１６５、変更処理部１６６、印刷処理部１６７として動作する。
【００３０】
印刷ジョブ受付部１６１は、印刷指示受付機能を実現し、印刷ジョブを受け付ける。印刷ジョブ受付部１６１は、本実施例のように印刷ジョブがカラー画像データに基づく単色印刷を指示するものである場合に種別判断部１６２を動作させる。
【００３１】
種別判断部１６２は、種別判断機能を実現し、印刷ジョブのカラー画像データに含まれるオブジェクトの種別を判断し、種別が図形であるオブジェクトに対する色塗り領域を画像領域判断部１６３に判断させる。色塗り領域は、輪郭内が単一の色で塗りつぶされた領域である。
【００３２】
画像領域判断部１６３は、画像領域判断機能を実現し、種別判断部１６２により判断された種別が図形であるオブジェクトである場合、その図形であるオブジェクトを対象にしてカラー画像データから色塗り領域を判断する。
【００３３】
画像色判断部１６４は、画像色判断機能を実現し、画像領域判断部１６３により判断された色塗り領域の色を判断する。
【００３４】
境界判断部１６５は、境界判断機能を実現し、画像色判断部１６４により判断された色領域の色の明度及び彩度に基づき隣接する色塗り領域の境界を判断する。
【００３５】
変更処理部１６６は、変更処理機能を実現し、カラー画像データから画像領域判断部１６３により判断された色塗り領域を、画像色判断部１６４により判断された色塗り領域の色毎に異なる模様の模様領域に変更する。模様領域は、色塗り領域の輪郭内が特定の模様に変更されたもので、模様領域に用いられる模様は、記憶部１５内に記憶されている。ただし、模様領域の模様は、適宜、変更処理部１６６が作成することも可能である。
【００３６】
色塗り領域の模様領域への変更としては、色塗り領域を模様領域に置換する場合、色塗り領域の背景に模様領域を重ねる場合等がある。本実施例の変更処理部１６６は、異なる色の色塗り領域が隣接する場合に隣接する色塗り領域を模様領域に変更（置換）する。具体的には、変更処理部１６６は、境界判断部１６５による判断の結果、境界が判断された隣接する色塗り領域の明度及び彩度の差が閾値を下回る時に隣接する色塗り領域をそれぞれ模様領域に変更する。このようにして、変更処理部１６６は、カラー画像データの色塗り領域を模様領域に変更することにより単色印刷用の画像データを生成する。
【００３７】
一方で、変更処理部１６６は、境界が判断されなかった場合、すなわち隣接する色塗り領域がない場合に、色塗り領域を模様領域に変更する処理を行わない（処理をスキップする）。
【００３８】
印刷処理部１６７は、変更処理部１６６で生成された印刷用の画像データに基づいて、画像形成部１４を駆動制御して印刷対象の画像データを用紙上に画像形成させる処理を行う。
［単色印刷時の画像処理］
図３は、画像形成装置１０での単色印刷指示に基づく画像処理を示すフローチャートである。
【００３９】
画像形成装置１０における単色印刷指示に基づく画像処理では、まずステップＳ１において、「単色印刷対象の画像入力」が行われる。この処理では、印刷ジョブ受付部１６１により受け付けた印刷ジョブを通じてカラー画像データが入力される。こうしてステップＳ１が完了してステップＳ２へ移行する。
【００４０】
ステップＳ２では、「図形オブジェクトあり？」が行われる。この処理では、種別判断部１６２が、入力されたカラー画像データに含まれるオブジェクトの種別を判断する。具体的には、種別判断部１６２は、カラー画像データからテキストや写真等のオブジェクトと区別して図形であるオブジェクト（表・データ・グラフ画像等の画像部）を判断する。
【００４１】
オブジェクトが図形の場合はステップＳ３へ移行し（ＹＥＳ）、図形以外の場合はステップＳ６へ移行する（ＮＯ）。
【００４２】
ステップＳ３では、「色塗り領域判断？」が行われる。この処理では、画像領域判断部１６３が、図形であるオブジェクトを対象にして色塗り領域を判断する。
【００４３】
ステップＳ３での判断の結果、色塗り領域が判断された場合はステップＳ４へ移行し（ＹＥＳ）、判断されなかった場合はステップＳ６へ移行する（ＮＯ）。
【００４４】
図４に色塗り領域を有する図形のオブジェクトとしてのグラフを示す。図４の例では、画像領域判断部１６３が色塗り領域Ｃ１１，Ｃ１２，Ｃ１３を判断することになる。従って、この例では、ステップＳ４へ移行することになる。なお、図４の色の濃淡は、色塗り領域Ｃ１１，Ｃ１２，Ｃ１３がそれぞれ異なる有彩色を有することを示しており、そのまま単色印刷すると図６のようなものになるものとする。
【００４５】
ステップＳ４では、「色塗り領域色判断」が行われる。この処理において、画像色判断部１６４は、ステップＳ３で判断された色塗り領域の色を判断する。その際、境界判断部１６５は、画像色判断部１６４により判断された色塗り領域の色の明度及び彩度に基づき、隣接する色塗り領域の境界を判断する。これにより、画像色判断部１６４は、隣接する色塗り領域が存在する場合に各色塗り領域の色を判断することができる。ステップＳ４で色塗り領域の色判断処理が完了すると、ステップＳ５へ移行する。
【００４６】
図４の例では、色塗り領域Ｃ１１及びＣ１２間の境界Ｂ１並びに色塗り領域Ｃ１２及びＣ１３間の境界Ｂ２が判断され、色塗り領域Ｃ１１及びＣ１２、色塗り領域Ｃ１２及びＣ１３がそれぞれ隣り合う色塗り領域であること判断される。従って、色塗り領域Ｃ１１，Ｃ１２，Ｃ１３の色が判断されて、ステップＳ５へ移行することになる。
【００４７】
ステップＳ５では、「色塗り領域模様画像変更」が行われる。この処理では、変更処理部１６６が、画像領域判断部１６３により判断（ステップＳ３参照）された色塗り領域を、画像色判断部１６４により判断（ステップＳ４参照）された色塗り領域の色毎に異なる模様の模様領域に変更する。
【００４８】
本実施例では、上述のように境界が判断された隣接する色塗り領域の明度及び彩度の差が閾値を下回る時に、これら隣接する色塗り領域をそれぞれ模様領域に変更する。明度及び彩度の差が閾値以上であれば、単色印刷画像においても色の塗り分けを識別できるためである。
【００４９】
図５に図４の色塗り領域を模様領域に変更したグラフを示す。図５の例では、隣接する異なる色の色塗り領域Ｃ１１，Ｃ１２，Ｃ１３が異なる模様の模様領域Ｐ１，Ｐ２，Ｐ３に変更されている。変更の際には、変更処理部１６６が模様領域Ｐ１，Ｐ２，Ｐ３の模様を記憶部１５から読み出し、読み出した模様を色塗り領域Ｃ１１，Ｃ１２，Ｃ１３の塗り模様と置換する。
【００５０】
このとき、印刷に使用されるトナーの濃度に応じて異なる模様を選択できるようにしても良い。この構成により、例えば、トナー節約モードでカラー原稿等をモノクロ印刷する場合でも、トナー節約によるモノクロ階調幅低下による色識別の誤認識が生じない印刷物を提供することができる。
【００５１】
また、ステップＳ５では、予め用意しておいた模様を用いることに限らず、色塗り領域の色毎にその都度異なる模様を生成して変更処理するようにしても良い。また、基本となる模様を記憶しておき、その都度、色塗り領域の色毎に変形して用いるようにしても良い。こうしてステップＳ５が完了してステップＳ６へ移行する。
【００５２】
なお、変更処理部１６６は、境界判断部１６５により境界が判断されなかった場合（つまり、隣接する色塗り領域がない場合）には色塗り領域を模様領域に変更する処理をスキップする。
【００５３】
ステップＳ６では、「単色印刷用画像データ生成」が行われる。この処理では、変更処理部１６６が単色印刷用画像データを生成する。具体的には、ステップＳ５で色塗り領域が模様に変更された画像データを単色化して単色印刷用画像データを生成する。こうしてステップＳ６が完了してステップＳ７に移行する。
【００５４】
ステップＳ７では、「単色印刷」を行う。この処理では、印刷処理部１６７が、ステップＳ６で生成された単色印刷用画像データに基づき、画像形成部１４の印刷プロセスを制御して用紙上に単色印刷画像を形成する。
［単色印刷の結果比較］
図６は、図４のグラフを通常の単色印刷した結果を示す図表である。
【００５５】
本実施例では、図４のグラフ（１）、（２）、（３）内の異なる色の色塗り領域Ｃ１１、Ｃ２１、Ｃ３１が、図５のような模様領域Ｐ１、Ｐ２、Ｐ３に変更されて単色印刷されている。
【００５６】
図５から明らかなように、本実施例では、図４におけるグラフ（１）、（２）、（３）の各色塗り領域Ｃ１１、Ｃ２１、Ｃ３１が、本来の色の差が模様の差として容易に識別可能となっている。
【００５７】
これに対し、図６では、単色諧調による階調領域Ｇ１１、Ｇ１２、Ｇ１３で画像形成され、本来の色の違いが識別し難い画像となっている。
［実施例１の効果］
本実施例の画像形成装置１０は、カラー画像データから輪郭内が単一の色で塗りつぶされた色塗り領域を判断する画像領域判断部１６３と、画像領域判断部１６３により判断された色塗り領域の色を判断する画像色判断部１６４と、画像領域判断部１６３により判断された色塗り領域を、画像色判断部１６４により判断された色毎に異なる模様の模様領域に変更する変更処理部１６６とを備える。
【００５８】
従って、本実施例では、印刷対象のカラー画像データの色塗り領域を色毎に異なる模様に変更して単色印刷することができる。これにより、本実施例では、図形の色の塗り分けであっても色に頼らず模様による識別が可能となり、つまり、出力先の色再現機能等に拘わらず模様の違いによって図形の色の塗り分けを確実に識別できる。
【００５９】
また、変更処理部１６６は、異なる色の色塗り領域が隣接する場合に、隣接する色塗り領域を模様領域に変更する。
【００６０】
従って、本実施例では、識別が必要な図形の色の塗り分けに対してのみ模様領域へ変更することで、本来のカラー画像データの内容の変更を低減すると共に処理の軽減を図ることが可能となる。
【００６１】
また、本実施例では、色塗り領域の色の明度及び彩度に基づき隣接する色塗り領域の境界を判断する境界判断部１６５を有し、変更処理部１６６が境界判断部１６５により境界が判断された隣接する色塗り領域の明度及び彩度の差が閾値を下回る時に隣接する色塗り領域をそれぞれ模様領域に変更する。
【００６２】
従って、本実施例では、境界がはっきりしていない場合にのみ模様領域への変更を行うことで、より確実に本来のカラー画像データの内容の変更を低減すると共に処理の軽減を図ることが可能となる。
【００６３】
また、本実施例では、単色印刷指示を受け付ける印刷ジョブ受付部１６１を有し、印刷ジョブ受付部１６１により受け付けた単色印刷指示に基づき、画像領域判断部１６３が色塗り領域を判断する。
【００６４】
従って、本実施例では、単色印刷と通常のカラー印刷とを容易且つ確実に使い分けることができる。
【実施例２】
【００６５】
本実施例は、画像処理装置を情報処理端末として適用したものである。図７は、本発明の実施例２に係る情報処理端末を有するシステム構成を示すブロック図、図８は、図７の情報処理端末の構成を示すブロック図である。
【００６６】
本実施例では、図７のように、画像処理装置である情報処理端末２０（便宜的に情報処理装置２０−１及び２０−２のみ示す）が画像形成装置１０、及び外部表示装置４０に対してネットワーク５により接続されている。
【００６７】
外部表示装置４０は、例えばプロジェクター装置であり、情報処理端末２０からのカラー画像データに基づいてスクリーン上等にカラー画像を投影する。なお、外部表示装置４０は、モニター等の他の表示装置とすることも可能である。
【００６８】
本実施例の情報処理端末２０は、パーソナルコンピューター等の情報処理装置であり、カラー画像データに対する各種の処理が可能となっている。本実施例では、特に外部表示装置４０にカラー画像データを送りスクリーン上等にカラー画像を投影する表示出力をさせ、或いは画像形成装置１０にカラー画像データに基づく印刷指示を行ってカラー画像や単色画像を印刷出力させることが可能となっている。
【００６９】
この表示出力や印刷出力の際に、本実施例の情報処理端末２０では、カラー画像データの図形の色塗り領域を模様領域に変更する。なお、表示出力及び印刷出力の何れの場合も同様の処理であるため、本実施例では表示出力の場合について主に説明する。
【００７０】
情報処理端末２０は、図８に示すように、表示部２１、操作部２２、ネットワークインターフェイス２３、記憶部２４、及び制御部２５等を備えている。
【００７１】
表示部２１は、液晶表示装置等のモニター装置であり、カラー画像データに基づくモニター画像の他、種々の情報を表示する。
【００７２】
操作部２２は、マウスやキーボード等を有し、各種の情報を入力する入力装置である。
【００７３】
ネットワークインターフェイス２３は、画像形成装置１０及び外部表示装置４０を含む外部装置に対してネットワーク５を通じたデータの送受信を行う。
【００７４】
制御部２５は、ＣＰＵ等の演算装置であり、プログラムを実行することで各種の処理や制御を行う。
【００７５】
記憶部２４は、プログラムを記憶するＲＯＭ、作業領域としてのＲＡＭ、補助記憶装置としてのＨＤＤ等である。
【００７６】
本実施例の情報処理端末２０では、制御部２５がプログラムを実行することで、表示指示受付部２５１、種別判断部２５２、画像領域判断部２５３、画像色判断部２５４、境界判断部２５５、変更処理部２５６、表示実行指示部２５７、変更処理設定部２５８として動作する。
【００７７】
表示指示受付部２５１は、表示指示受付機能を実現し、操作部２２での操作によってカラー画像データの出力指示を受け付ける。これにより、本実施例では、外部表示装置４０に対するカラー画像の表示出力の指示が受け付けられる。なお、印刷出力の場合は、画像形成装置１０に対する印刷指示としての印刷ジョブの生成指示が受け付けられる。
【００７８】
種別判断部２５２、画像領域判断部２５３、画像色判断部２５４及び境界判断部２５５は、実施例１の画像形成装置１０の種別判断機能（種別判断部１６２参照）、画像領域判断機能（画像領域判断部１６３参照）、画像色判断機能（画像色判断部１６４参照）、境界判断機能（境界判断部１６５参照）とそれぞれ同等の機能を有するものである。従って、これら各部の重複した説明は省略する。
【００７９】
変更処理部２５６は、実施例１の変更処理機能（変更処理部１６６参照）と同様、カラー画像データの色塗り領域を色毎に異なる模様の模様領域に変更する。
【００８０】
ただし、本実施例では、色塗り領域の模様領域への変更処理として、例えば、色塗り領域の輪郭内に背景色を残したまま模様情報を付加する。付加される模様としては、色塗り領域の色毎に異なる網掛け模様、罫線及び水玉模様等の各種の模様が適用される。このようにして、変更処理部２５６は、カラー画像データの色塗り領域に模様情報を付加することにより、外部表示装置４０に表示させる外部表示用のカラー画像データを生成する。なお、印刷出力の場合は、印刷ジョブが生成される。
【００８１】
表示実行指示部２５７は、表示実行指示機能を実現し、外部表示装置４０に対して、変更処理部２５６により生成された外部表示用のカラー画像データの表示を実行するように指示する。なお、印刷出力の場合は、画像形成装置１０に対して印刷ジョブの実行を指示する。
【００８２】
変更処理設定部２５８は、変更処理設定機能を実現し、変更処理部２５６による色塗り領域の模様領域への変更処理を行うか否かを設定する。つまり変更処理のオン／オフを切り替える（以下、「変更設定」と称する）。変更設定としては、例えば、表示出力又は印刷出力が指示される全てのカラー画像に対して色塗り領域の模様領域への変更処理を行うように事前に設定することが可能である。このときの変更設定は、例えば、情報処理端末２０の表示部２１に表示される設定画面等によって行うことができる。
【００８３】
その他、変更設定としては、外部表示装置４０によるカラー画像の表示中等に、必要に応じて変更処理を行うように適時に設定することも可能である。このときの変更設定は、例えば、情報処理端末２０の表示部２１に表示される設定ボタンの選択等によって行うことができる。
［外部表示装置でのカラー画像表示時の画像処理］
図９は、外部表示装置でのカラー画像表示時の画像処理を示すフローチャートである。なお、本実施例は基本的な処理の流れが実施例１（図３参照）と共通するため、対応する処理ステップには同符号を付して重複した説明を省略する。
【００８４】
図９の画像処理は、表示指示受付部２５１がユーザからカラー画像の表示指示を受け付け、かつ、変更設定がなされている場合に開始される。既に外部表示装置４０によるカラー画像を表示している場合は、変更設定がなされたときに開始される。
【００８５】
図９の画像処理が開始されると、まずステップＳ２１において「カラー画像データの取得」が行われる。この処理では、表示指示受付部２５１がユーザから外部表示装置４０に表示することが指示されたカラー画像データを取得する。
【００８６】
こうしてステップＳ２１が完了するとステップＳ２へ移行し、その後、ステップＳ３、Ｓ４へと順に処理が移行する。すなわち、ステップＳ２では、入力カラー画像データから図形であるオブジェクト（表・グラフ画像等の画像部）が判断され、ステップＳ３では、図形であるオブジェクトを対象にして色塗り領域が判断され、ステップＳ４では、ステップＳ３で判断された色塗り領域の色が判断される。
【００８７】
図１０に図９の画像処理が適用される色塗り領域を有するグラフを示す。図１０の例では、ステップＳ２において、同図（Ａ）の円グラフや同図（Ｂ）の棒グラフが図形のオブジェクトと判断される。ステップＳ３では、図１０（Ａ）の円グラフの場合に色塗り領域Ｃ２１，Ｃ２２，Ｃ２３，Ｃ２４が、図１０（Ｂ）の棒グラフの場合に色塗り領域Ｃ３１，Ｃ３２，Ｃ３３が判断される。更にステップＳ４では、図１０（Ａ）の円グラフ場合に色塗り領域Ｃ２１〜Ｃ２４の色、色塗り領域間の境界Ｂ５、Ｂ６、Ｂ７、Ｂ８、各境界を挟んだ隣接する色塗り領域が判断される。同様に、図１０（Ｂ）の棒グラフについては、色塗り領域Ｃ３１〜Ｃ３３の色、色塗り領域間の境界Ｂ１０及びＢ１１、各境界を挟んだ隣接する色塗り領域が判断される。
【００８８】
こうしてステップＳ２〜Ｓ４が完了するとステップＳ２２に移行する。
【００８９】
ステップＳ２２では、「色塗り領域模様画像変更」が行われる。この処理では、変更処理部２５６が、画像領域判断部２５４により判断（ステップＳ３参照）された色塗り領域を背景として、色塗り領域毎に異なる模様の模様画像を付加する（網掛けをする）。
【００９０】
図１１に図１０の色塗り領域に模様画像を付加したグラフを示す。図１１の例では、同図（Ａ）の円グラフ中、隣接する異なる色の色塗り領域Ｃ２１，Ｃ２２，Ｃ２３，Ｃ２４が、それぞれ異なる模様が付加された模様領域Ｐ２１，Ｐ２２，Ｐ２３，Ｐ２４となっている。図１１（Ｂ）の棒グラフについても、隣接する異なる色の色塗り領域Ｃ３１，Ｃ３２，Ｃ３３が、それぞれ異なる模様が付加された模様領域Ｐ３１，Ｐ３２，Ｐ３３となっている。こうしてステップＳ２２が完了してステップＳ２３へ移行する。
【００９１】
ステップＳ２３では、「外部表示用のカラー画像データ生成」が行われる。この処理では、ステップＳ２２で色塗り領域の背景に模様が付加された画像データに基づき、変更処理部２５６が外部表示装置４０によって表示するための外部表示用のカラー画像データを生成する。こうしてステップＳ２３が完了してステップＳ２４に移行する。
【００９２】
ステップＳ２４では、「カラー画像データの表示実行指示」が行われる。この処理では、表示実行指示部２５７が、出力先である外部表示装置４０に対し、ステップＳ２３で生成された外部表示用のカラー画像データの表示出力の実行を指示する。
【００９３】
これにより、出力先である外部表示装置４０では、外部表示用のカラー画像データに基づいて色塗り領域の背景に模様情報が付加されたカラー画像をスクリーン上に投影する表示出力を行うことができる。
［カラー画像の表示結果の比較］
図１２及び図１３は、図１０のグラフを本実施例の画像処理を行うことなく表示した場合の表示例を示す。
【００９４】
図１２及び図１３のように、本実施例の画像処理を行わない場合は、出力先である外部表示装置４０の表示能力に依存して色味が薄く又は濃くなって色塗り領域の識別が困難になることがある。
【００９５】
これに対し、本実施例では、図１０（Ａ）の円グラフ内の異なる色の色塗り領域Ｃ２１、Ｃ２２、Ｃ２３、Ｃ２４が、図１１（Ａ）に示すような模様領域Ｐ２１、Ｐ２２、Ｐ２３、Ｐ２４となっている。
【００９６】
図１０（Ｂ）の棒グラフも、同様に図１１（Ｂ）に示すような模様領域Ｐ３１、Ｐ３２、Ｐ３３で構成されている。
【００９７】
このため、本実施例では、模様領域Ｐ２１、Ｐ２２、Ｐ２３、Ｐ２４、及び模様領域Ｐ３１、Ｐ３２、Ｐ３３によって互いに識別可能となっている。
［実施例２の効果］
本実施例では、カラー画像のグラフ等の図形オブジェクトをカラー画像として出力先である外部表示装置４０で表示させる場合に、色塗り領域を色を残したまま模様を付加した模様領域に変更することで、本来の色の塗り分けを意識しながら模様から各色塗り領域の色の違いを容易に認識可能となる。
【００９８】
また、本実施例では、例えば色覚異常者に対して色の違いによる識別を認識させることができる。この場合、情報処理端末２０の表示部２１上でカラー画像を表示する場合にも利用できる。
【００９９】
本実施例では、変更処理部２５６による色塗り領域の模様領域への変更を行うか否かを設定する変更処理設定部２５８を有する。
【０１００】
従って、外部表示装置４０によって表示される全てのカラー画像に対して色塗り領域の模様領域への変更処理を行うように事前に変更設定することや、外部表示装置４０によるカラー画像の表示中等に色の塗り分けを識別しにくい場合に必要に応じて変更変更することが可能となる。
【０１０１】
その他、上記実施例１と同様の作用効果を奏することができる。
［その他］
以上、本発明の実施例について説明したが、本発明はこれに限られるものではなく、各種の変更が可能である。
【０１０２】
例えば、本発明の画像処理装置は、実施例２の外部表示装置４０に適用することも可能である。すなわち、情報処理端末２０から受け取ったカラー画像データに対し、外部表示装置４０で色塗り領域を模様領域へ変更することになる。
【０１０３】
また、本発明の画像処理装置は、実施例２の情報処理端末２０と外部表示装置４０との双方に適用することも可能である。この場合は、例えば、カラー画像の情報処理端末２０でのモニター画像と外部表示装置４０での投影画像とが違って見える場合に、情報処理端末２０又は外部表示装置４０のいずれかでカラー画像データに対する色塗り領域の模様領域への変更を実行させることができる。これにより、色塗り領域の模様変更効果を情報処理端末２０側又は外部表示装置４０側で選択的に得られるように切り替えることができ、フレキシブルなシステム構成が可能となる。
【０１０４】
本発明では、模様領域に変更される色塗り領域を有する図形のオブジェクトを、表や文字を構成する線、或いはベクター画像のオブジェクトとしてもよい。
【符号の説明】
【０１０５】
１０  画像形成装置
１６１  印刷ジョブ受付部
１６２  種別判断部
１６３  画像領域判断部
１６４  画像色判断部
１６５  境界判断部
１６６  変更処理部
１６７  印刷処理部
２０  情報処理端末
２５１  表示指示受付部
２５２  種別判断部
２５３  画像領域判断部
２５４  画像色判断部
２５５  境界判断部
２５６  変更処理部
２５７  表示指示実行部
２５８  変更処理設定部
【図１】
2015046850.tif 000003
【図２】
2015046850.tif 000004
【図３】
2015046850.tif 000005
【図４】
2015046850.tif 000006
【図５】
2015046850.tif 000007
【図６】
2015046850.tif 000008
【図７】
2015046850.tif 000009
【図８】
2015046850.tif 000010
【図９】
2015046850.tif 000011
【図１０】
2015046850.tif 000012
【図１１】
2015046850.tif 000013
【図１２】
2015046850.tif 000014
【図１３】
2015046850.tif 000015